(57)【要約】【課題】作業者の落下防止のために親綱と呼称されるロープを張設するときに使用される親綱用支柱の製造を容易にし、安全性を高めること。【解決手段】支柱本体１と、この支柱本体１の下端横側部に連設されたクランプ手段２と、前記支柱本体２の上端に連設された親綱係止部３とを備えた親綱用支柱であって、前記親綱係止部３は、前記支柱本体１の上端から上向きに突出する台座部９と、当該台座部９に取り付けられた親綱係止部材１０とから成り、当該親綱係止部材１０は、１本の線材を曲げ加工したもので、閉じた環状部１０ｃとこの環状部１０ｃから下向きに延出する２本の脚部１０ａ，１０ｂとを有し、当該２本の脚部１０ａ，１０ｂが前記台座部９の互いに平行で垂直な両側面９ａ，９ｂに当接状態で溶接固着された構成。【選択図】    図１
2004229775.tif 000002
【特許請求の範囲】
【請求項１】
支柱本体と、この支柱本体の下端部に連設されたクランプ手段と、前記支柱本体の上端に連設された親綱係止部とを備えた親綱用支柱であって、前記親綱係止部は、前記支柱本体の上端から上向きに突出する台座部と、当該台座部に取り付けられた親綱係止部材とから成り、当該親綱係止部材は、１本の線材を曲げ加工したもので、閉じた環状部とこの環状部から下向きに延出する２本の脚部とを有し、当該２本の脚部が前記台座部の互いに平行で垂直な両側面に当接状態で溶接固着されている、親綱用支柱。
【請求項２】
前記親綱係止部材の環状部が、前記支柱本体の長さ方向に対し略直交する仮想平面に沿うように構成されている、請求項１に記載の親綱用支柱。
【請求項３】
前記台座部は、支柱本体に対し着脱自在に構成されている、請求項１又は２に記載の親綱用支柱。
【請求項４】
前記台座部の互いに平行で垂直な両側面は、角柱状である前記支柱本体の上端の対角線方向と略平行である、請求項１〜３の何れかに記載の親綱用支柱。
【請求項５】
前記台座部は、１枚の金属板をハット形に曲げ加工したもので、その下端両延出部が支柱本体への取付部となっている、請求項１〜４の何れかに記載の親綱用支柱。
【発明の詳細な説明】
【０００１】
【発明の属する技術分野】
本発明は、建設中の建造物の水平梁等の上を歩行する作業者の落下防止のために親綱と呼称されるロープを張設するときに使用される親綱用支柱に関するものである。
【０００２】
【従来の技術】
この種の親綱用支柱は、特許文献１に記載のように、支柱本体と、この支柱本体の下端部に連設されたクランプ手段と、前記支柱本体の上端に連設された親綱係止部とを備えたものであって、水平梁等を構成する鉄骨の水平張り出しエッジ部に前記クランプ手段を介して親綱用支柱を立設し、同様に立設した親綱用支柱との間や柱等との間で、前記親綱係止部を利用して親綱（ロープ）を張設するものである。而して、特許文献１に記載のように、前記親綱係止部を１本の線材（鋼線）を曲げ加工して構成し、親綱に作業者の落下衝撃が作用したときにその衝撃を親綱係止部を構成する線材の曲げ変形で吸収出来るようにすることが知られている。
【０００３】
【特許文献１】
特許第２７００３８３号公報
【０００４】
【発明が解決しようとする課題】
しかしながら、上記特許文献１に記載のような従来の親綱用支柱では、１本の線材（鋼線）の曲げ加工で構成された親綱係止部は、その２本の脚部を支柱本体の上端板に設けた貫通孔に挿通した状態で両者を互いに溶接固着して構成していた。この構成では、２つの小径の貫通孔に２本の脚部を同時に挿通しなければならないので親綱係止部の取り付けに手間がかかるばかりでなく、前記貫通孔の周囲と脚部周面との溶接だけであるから十分な溶接長さが確保出来ず、強度面でも問題があった。
【０００５】
【課題を解決するための手段】
本発明は上記のような従来の問題点を解消し得る親綱用支柱を提供することを目的とするものであって、その手段を後述する実施形態の参照符号を付して示すと、支柱本体１と、この支柱本体１の下端横側部に連設されたクランプ手段２と、前記支柱本体２の上端に連設された親綱係止部３とを備えた親綱用支柱であって、前記親綱係止部３は、前記支柱本体１の上端から上向きに突出する台座部９と、当該台座部９に取り付けられた親綱係止部材１０とから成り、当該親綱係止部材１０は、１本の線材を曲げ加工したもので、閉じた環状部１０ｃとこの環状部１０ｃから下向きに延出する２本の脚部１０ａ，１０ｂとを有し、当該２本の脚部１０ａ，１０ｂが前記台座部９の互いに平行で垂直な両側面９ａ，９ｂに当接状態で溶接固着された構成となっている。
【０００６】
上記構成の本発明を実施する場合、前記親綱係止部材１０の環状部１０ｃは、前記支柱本体１の長さ方向に対し略直交する仮想平面に沿うように構成するのが望ましい。又、前記台座部９は、支柱本体１に対し着脱自在に構成することが出来る。
【０００７】
更に、前記台座部９の互いに平行で垂直な両側面９ａ，９ｂは、角柱状である前記支柱本体１の上端の対角線方向と略平行な向きに構成することが出来る。又、前記台座部９は、１枚の金属板をハット形に曲げ加工して構成し、その下端両延出部１１を支柱本体１への取付部として、溶接やボルト止めにより支柱本体１に取り付けることが出来る。
【０００８】
【発明の実施の形態】
以下に本発明の好適実施形態を添付図に基づいて説明すると、１は角パイプ材から成る角柱状の支柱本体であり、２は支柱本体１の下端横側部（前側）に設けられたクランプ手段、３は支柱本体１の上端に設けられた親綱係止部である。クランプ手段２は、支柱本体１から横側方に突出する上下一対の突出部４，５と、上側突出部４を上下方向に貫通する左右一対の締結用ねじ６ａ，６ｂとを備えたものである。支柱本体１の前側側面には、クランプ手段２に近い位置で把手７が付設されている。
【０００９】
親綱係止部３は、支柱本体１の上端の固着天板１ａに設けられたねじ孔を利用してボルト８により着脱自在に取り付けられたものであって、取付用台座部９と、この台座部９に取り付けられた親綱係止部材１０とから構成されている。台座部９は、１枚の金属板を断面ハット形に曲げ加工したもので、その下端両延出部が支柱本体１への取付部１１となっており、当該台座部９の互いに平行で垂直な両側面９ａ，９ｂが角柱状である前記支柱本体１の上端（矩形の固着天板１ａ）の対角線方向と略平行になるように、当該台座部９が前記取付部１１に於いて支柱本体１の上端（矩形の固着天板１ａ）にボルト８で取り付けられている。
【００１０】
親綱係止部材１０は、１本の線材（鋼線）を曲げ加工したものであって、支柱本体１の長さ方向と平行な両脚部１０ａ，１０ｂが台座部９の互いに平行で垂直な両側面９ａ，９ｂに各別に溶接固着され、両脚部１０ａ，１０ｂの上端部間には、は、支柱本体１の長さ方向に対し略直交する仮想平面に沿う向きの閉じた環状部１０ｃが形成され、当該環状部１０ｃに水平方向の３６０度何れの向きにも親綱を係止張設出来るように構成されている。
【００１１】
上記構成の親綱支柱は、図１に仮想線で示すように、水平梁を構成する鉄骨の水平張り出しエッジ部Ｆに対しクランプ手段２の上下の突出部４，５間の凹部を横から嵌合し、上側の２本の締結用ねじ６ａ，６ｂを締め付けて、当該水平張り出しエッジ部Ｆをクランプ用受け面２ａとの間で挟持固定する。図示の実施形態に於ける親綱支柱は、上端の親綱係止部３が水平張り出しエッジ部Ｆから外側へ離れるように所定角度だけ傾斜して立設されるようにクランプ手段２が構成されているが、垂直に支柱本体１が立設される一般的なものであっても良い。このようにして親綱支柱を水平梁を構成する鉄骨の長さ方向適当間隔おきに立設し、これら各親綱支柱間や親綱支柱と柱等との間に親綱係止部３の親綱係止部材１０に於ける略水平の環状部１０ｃを利用して所定高さに親綱を略水平に張設することが出来る。このとき前記環状部１０ｃが略水平で且つ閉じた環状であるため、鉄骨梁の出隅部に親綱支柱を立設することにより、直角２方向にも親綱を張設することが出来る。
【００１２】
【発明の効果】
本発明は以上のように実施し且つ使用することが出来るものであって、係る本発明の親綱用支柱は、上端の親綱係止部の親綱係止部材が１本の線材を曲げ加工して閉じた環状部とこの環状部から下向きに延出する２本の脚部とを有するように構成されたものであるから、親綱に作業者の落下衝撃が作用したときにその衝撃を親綱係止部材を構成する線材の曲げ変形で吸収させることが出来るものであるが、当該親綱係止部材は、その両脚部に於いて支柱本体上端の台座部の互いに平行で垂直な両側面に当接状態で溶接固着されているものであるから、親綱係止部材側の両脚部と台座部の互いに平行で垂直な両側面との当接長さを長くするだけで、両者間の溶接長さを十分に長くして親綱係止部材の取り付け強度を高めることが出来る。しかも、単に親綱係止部材側の両脚部と前記台座部の両側面とを当接させるだけで両者の溶接作業が行えるのであるが、このとき、親綱係止部材側の両脚部間の間隔が台座部の巾より広いときは、親綱係止部材を捩じるだけでその両脚部を確実に台座部両側面に当接させることが出来、逆に親綱係止部材側の両脚部間の間隔が台座部の巾より狭いときは、弾性に抗して当該両脚部間の間隔を広げた状態で台座部に嵌合させるだけで当該両脚部を台座部の両側面に圧接させることが出来るので、組立作業が容易に行える。
【００１３】
尚、請求項２に記載のように、親綱係止部材の閉じた環状部を支柱本体の長さ方向に対し略直交する仮想平面に沿うように構成するときは、水平方向３６０度任意の方向に親綱を張設することが出来るので、親綱用支柱を鉄骨梁の出隅部や入り隅部の角部に立設することにより、当該鉄骨梁の出隅部や入り隅部に沿って直角状に親綱を張設することが可能になる。
【００１４】
又、請求項３に記載の構成によれば、親綱用支柱の取り付け箇所等に合わせて親綱係止部を他の構成のものと取り替えたり、破損した親綱係止部の交換も容易に行える。
【００１５】
更に、請求項４に記載の構成によれば、親綱係止部材の両脚部が、張設される親綱と干渉し合う恐れを最小限に抑えることが出来、親綱の張設作業に好都合となる。
【００１６】
又、請求項５に記載の構成によれば、親綱係止部の台座部の構成と支柱本体への取り付けが簡単容易になり、コストダウンを図ることが出来るばかりでなく、台座部が変形し易くなり、親綱に作業者の落下衝撃が作用したときの衝撃を親綱係止部材だけでなく台座部の変形でも吸収させることが出来るので、安全性が高められる。
【図面の簡単な説明】
【図１】側面図である。
【図２】正面図である。
【図３】平面図である。
【図４】図３のＡ−Ａ線断面図である。
【符号の説明】
１    支柱本体
２    クランプ手段
３    親綱係止部
４，５    クランプ手段の上下一対の突出部
６ａ，６ｂ    クランプ手段の締結用ねじ
８    ボルト
９    台座部（親綱係止部）
９ａ，９ｂ    両側面（台座部）
１０    親綱係止部材（親綱係止部）
１０ａ，１０ｂ    脚部（親綱係止部材）
１０ｃ    閉じた環状部（親綱係止部材）
１１    取付部（台座部）
Ｆ    鉄骨の水平張り出しエッジ部（水平被取付部材）
【図１】
2004229775.tif 000003
【図２】
2004229775.tif 000004
【図３】
2004229775.tif 000005
【図４】
2004229775.tif 000006